(57)【特許請求の範囲】
【請求項１】
下面の四隅部に脚を有する基台と被計測者が載るための載せ台とから成る重量計において、前記載せ台の周縁端を転倒防止のための停止手段とすることを特徴とする転倒防止機能付き重量計。
【請求項２】
前記停止手段は、前記脚の底の水平面と近接した位置まで伸びた形状部を前記周縁端の角部に設けたことを特徴とする請求項１記載の転倒防止機能付き重量計。
【請求項３】
前記脚の底の水平面と前記伸びた形状部の端までの距離が、１〜１０mmであることを特徴とする請求項２記載の転倒防止機能付き重量計。
【発明の詳細な説明】
【０００１】
【発明の属する技術分野】
本発明は、人が載せ台に載る重量計に関し、より詳細には、被計測者が載せ台の端部に載ったときの転倒を防止する重量計に関する。
【０００２】
【従来の技術】
従来から人が載せ台に載って計測する重量計の一つに体重計がある。図１は従来の体重計の外観図であり、（ａ）は平面図、（ｂ）は側面図、（ｃ）は正面図を示す。この図１に示すように、従来の体重計１の外部は、主に載せ台２、基台３、脚４及び表示部５により構成されている。
そして、載せ台２の水平面の外形は、基台３の水平面の外形よりも大きい。また、基台３の下面の四隅部には、複数の脚４が配設されている。
【０００３】
【発明が解決しようとする課題】
図２の従来の体重計の端部を表す図に示すように、従来の体重計１においては、複数の脚４を結んだ線６によりできる面の外形の外側となる載せ台２の斜線部分に相当する端部７の一部に、図３の従来の体重計の載せ台の端部に被計測者が載り始める状態を表す図に示すように、被計測者８が載ると、図４の従来の体重計の載せ台の端部に被計測者が載り転倒中の状態を表す図に示すように、脚４を支点として荷重が加わった側と反対側の部分が大きく浮き上がり、体重計や被計測者が転倒することがある。したがって、載せ台２の水平面の外形は、複数の脚４を結んだ線６によりできる面の外形より、あまり大きく設計することができないという問題があった。
そこで、本発明は、上記のような従来の問題点を解決することを目的とするもので、載せ台の端部の一部に荷重が加わっても転倒を防止することができる転倒防止機能付き重量計を提供することを目的とする。
【０００４】
【課題を解決するための手段】
上記の目的を達成するため、本発明の転倒防止機能付き重量計は、重量計の基台の下面端を転倒防止のための停止手段とするものである。これにより、重量計は大きく浮き上がる前に、基台の下端面が床に当たり停止するので、転倒の防止となる。
また、重量計の載せ台の周縁端を転倒防止のための停止手段とするものであってもよい。これにより、重量計は大きく浮き上がる前に、重量計の最端である載せ台の周縁端が床に当たり停止するとともに、周縁端より外側に荷重が加わることがないので、転倒の防止に最も効果をもたらすことになる。
【０００５】
【発明の実施の形態】
以下、実施の形態を図面に基づき説明するが、本発明はこの実施の形態に限定されない。
まず、第一の実施の形態について説明する。
図５は本発明の転倒防止機能付き重量計の外観図であり、（ａ）は平面図、（ｂ）は側面図、（ｃ）は正面図を示す。
本発明の転倒防止機能付き重量計１１の内部は、載せ台１２で受けた荷重をセンサーに伝達するための手段と、荷重を検出し電気信号に変換するためのセンサーと、荷重検出信号を増幅・Ａ／Ｄ変換・演算・記憶・制御などの処理を行う電子回路基板などにより構成するが、公知なものなので詳細な説明を省略する。
外部は、表示部１５を水平面に設けた載せ台１２と、正面に起動スイッチ１８と下面の四隅部に複数の脚１４とを設けた基台１３とにより構成する。基台１３の下面の四隅部は、停止手段として、脚１４の底の水平面と近接した位置まで突き出た形状部１９を設けた。図６のＡ部拡大図に示すように、脚１４の底の水平面と突き出た形状部１９の端までの距離２０は、転倒防止機能付き重量計１１の傾いても安全である角度を考慮して決定するが、およそ０．５〜５ｍｍである。
なお、突き出た形状部１９は、基台１３の下面の四隅部を成型により設けても良いし、別の部材を基台１３の下面の四隅部に取り付けて設けても良い。
【０００６】
計測する場合には、起動スイッチ１８を押し、表示部１５の数値がゼロ表示をしてから載せ台１２の上に載る。この場合、図７の転倒防止機能付き重量計の端部を表す図に示すように、複数の脚１４を結んだ線１６と基台１３の下面端周縁９との間の載せ台１２の斜線部分に相当する端部１７の一部に、図８の転倒防止機能付き重量計の載せ台の端部に被計測者が載り始める状態を表す図に示すように、被計測者８が載っても、図９の転倒防止機能付き重量計の載せ台の端部に被計測者が載り転倒中の状態を表す図に示すように、転倒防止機能付き重量計１１がわずかに傾いて浮き上がる程度である。図１０のＢ部拡大図に示すように、脚１４の底の水平面と近接した位置まで突き出た形状部１９が、床に当たり停止するので転倒することがなくなる。
【０００７】
次に、第二の実施の形態について説明する。
図１１は、本発明の転倒防止機能付き重量計の外観図であり、（ａ）は平面図、（ｂ）は側面図、（ｃ）は正面図を示す。
本発明の転倒防止機能付き重量計２１の内部は、第一の実施の形態と同じであるので、詳細な説明を省略する。
外部は、表示部２５を水平面に設けた載せ台２２と、正面に起動スイッチ２８と下面に複数の脚２４とを設けた基台２３とにより構成する。載せ台２２の周縁端の角部は、停止手段として、脚２４の底の水平面と近接した位置まで伸びた形状部２９を設けた。図１２のＣ部拡大図に示すように、脚２４の底の水平面と伸びた形状部２９の端までの距離３０は、転倒防止機能付き重量計２１の傾いても安全である角度を考慮して決定するが、およそ１〜１０ｍｍである。
なお、伸びた形状部２９は、載せ台２２の周縁端の角部を成型により設けても良いし、別の部材を載せ台２２の周縁端の角部に取り付けて設けても良い。
【０００８】
計測する場合には、起動スイッチ２８を押し、表示部２５の数値がゼロ表示をしてから載せ台２２の上に載る。この場合、図１３の転倒防止機能付き重量計の端部を表す図に示すように、複数の脚２４を結んだ線２６によりできる外形の外側となる載せ台２２の斜線部分に相当する端部２７の一部に、図１４の転倒防止機能付き重量計の載せ台の端部に被計測者が載り始める状態を表す図に示すように、被計測者８が載っても、図１５の転倒防止機能付き重量計の載せ台の端部に被計測者が載り転倒中の状態を表す図に示すように、転倒防止機能付き重量計２１がわずかに傾いて浮き上がる程度である。図１６のＤ部拡大図に示すように、脚２４の底の水平面と近接した位置まで伸びた形状部２９が、床に当たり停止するので転倒するまでにならない。
なお、本第二の実施の形態のように、載せ台２２の周縁端の角部の伸びた形状部２９は、転倒防止機能付き重量計２１の最端であり、周縁端より外側に荷重が加わることがないので最も停止させる効果がある。
【０００９】
上記に述べた二つの実施の形態において、停止手段は、基台１３の下面の四隅部に突き出た形状部１９や載せ台２２の周縁端の角部に伸びた形状部２９として設けたが、基台１３の下面端の周辺や載せ台２２の周縁端であれば、どの位置でも、何カ所でも良い。
また、本発明は、デジタル式体重計、アナログ式体重計、載せ台に電極を配設して生体インピーダンスを計測する体脂肪計付体重計及び体の動揺面積を計測する重心動揺度計などの人が載せ台に載る重量計であれば、上述した通り実施可能である。
【００１０】
【発明の効果】
本発明の転倒防止機能付き重量計は、基台の下面端を床と近接するようにしたことで、転倒防止機能付き重量計がわずかに浮くだけで停止するので、載せ台の端部の一部に荷重が加わっても転倒が防止することができる。
また、載せ台の周縁端を床と近接するようにしたことで、載せ台の最端部の一部に荷重が加わっても転倒が防止することができる。
【図面の簡単な説明】
【図１】従来の体重計の外観図である。
【図２】従来の体重計の端部を表す図である。
【図３】従来の体重計の載せ台の端部に被計測者が載り始める状態を表す図である。
【図４】従来の体重計の載せ台の端部に被計測者が載り転倒中の状態を表す図である。
【図５】転倒防止機能付き重量計の外観図である。
【図６】図５のＡ部拡大図である。
【図７】転倒防止機能付き重量計の端部を表す図である。
【図８】転倒防止機能付き重量計の載せ台の端部に被計測者が載り始める状態を表す図である。
【図９】転倒防止機能付き重量計の載せ台の端部に被計測者が載り転倒中の状態を表す図である。
【図１０】図９のＢ部拡大図である。
【図１１】転倒防止機能付き重量計の外観である。
【図１２】図１１のＣ部拡大図である。
【図１３】転倒防止機能付き重量計の端部を表す図である。
【図１４】転倒防止機能付き重量計の載せ台の端部に被計測者が載り始める状態を表す図である。
【図１５】転倒防止機能付き重量計の載せ台の端部に被計測者が載り転倒中の状態を表す図である。
【図１６】Ｄ部拡大図である。
【符号の説明】
1  従来の体重計
2, 12, 22  載せ台
3, 13, 23  基台
4, 14, 24  脚
5, 15, 25  表示部
6, 16, 26  結んだ線
7, 17, 27  端部
8  被計測者
9  下面端周縁
11, 21  転倒防止機能付き重量計
18, 28  起動スイッチ
19  突き出た形状部
20, 30  距離
29  伸びた形状部
【図１】
0003726946.tif 000002
【図２】
0003726946.tif 000003
【図３】
0003726946.tif 000004
【図４】
0003726946.tif 000005
【図５】
0003726946.tif 000006
【図６】
0003726946.tif 000007
【図７】
0003726946.tif 000008
【図８】
0003726946.tif 000009
【図９】
0003726946.tif 000010
【図１０】
0003726946.tif 000011
【図１１】
0003726946.tif 000012
【図１２】
0003726946.tif 000013
【図１３】
0003726946.tif 000014
【図１４】
0003726946.tif 000015
【図１５】
0003726946.tif 000016
【図１６】
0003726946.tif 000017